(57)【特許請求の範囲】
【請求項１】
シャフトに駆動されるように係合する中心ボアを含むシリンダブロックを有する流体ユニット内で、スリッパー固定ピンを径方向に係止するための改良された装置において、
シリンダブロックが、前記中心ボアに対して平行をなす複数の細長い孔を内部に有し、これらの孔が、孔の長手方向に沿って延びる細長い突起間の開口部を通して前記中心ボアに連通しており、前記各孔における細長いスリッパー固定ピンが、それぞれの突起間の開口部を通って径方向に変位できないよう、前記突起間の開口部の横方向の幅よりも広い幅を有することを特徴とする、スリッパー固定ピンを係止するための改良された装置。
【請求項２】
孔が丸く、かつ側壁が、各孔の中心軸線のまわりに１８０度よりも大きい角度で延びていることを更に特徴とする、請求項１記載の装置。
【請求項３】
中心ボアを含むシリンダブロックを有する流体ユニット内で、スリッパー固定ピンを径方向に係止するための改良された装置において、
シリンダブロックが、前記中心ボアに対して平行をなす複数の細長い孔を内部に有し、これらの孔が、孔の長手方向に沿って延びる細長い突起間の開口部を通して前記中心ボアに連通しており、前記各孔における細長いスリッパー固定ピンが、それぞれの突起間の開口部を通って径方向に変位できないよう、前記突起間の開口部の横方向の幅よりも広い幅を有することを特徴とする、スリッパー固定ピンを係止するための改良された装置。
【発明の詳細な説明】
【０００１】
【発明の属する技術分野】
本発明は、流体動力伝達装置に関し、より詳細には、軸流ピストンタイプのポンプおよびモータに関する。本発明は、往復動するピストンの各々に、それぞれ取り付けられたスリッパーを固定するピンを係止するための改良された装置および方法に関する。
【０００２】
【従来の技術】
入口圧力、すなわちチャージ圧力が比較的低い従来の軸流ピストンタイプの流体ユニットでは、一般にスリッパー固定機構が必要である。開回路のポンプで使用されるあるタイプの固定機構は、複数のピンを含み、これらのピンは、シリンダブロックの中心ボアの回りに離間された軸方向に延びる弧状の溝内に取り付けられている。これらのピンの下端部は、固定力を加えるブロックスプリングと係合しており、この固定力は、ピンの上端部によりスリッパーへ伝えられるようになっている。
【０００３】
【発明が解決しようとする課題】
上記機構の欠点は、各溝がピンの直径の半分しか収容しない半円形の断面を有していることである。そのために、ピンは、溝内に横方向に挿入できるが、ピンを径方向外側に押圧し、このピンを、スロット内に係止するのに、平らなスプリングスチール製のＣ形状をしたバンドを備えたスプリングリテーナーが必要である。
このスプリングリテーナーを不要にし、ポンプ内で必要とされる部品数を少なくすることが好ましい。
【０００４】
このようなスプリングで係止されたピン機構の別の欠点は、組み立てが困難なことである。このピンは、スプリングリテーナーを追加する前にスロットからずれてしまうことがある。このような場合、ピンは、シリンダブロックすなわち回転グループアセンブリ内に落下することがあり、このような場合、回収が困難である。
【０００５】
一般にスリッパーを支持するための平面を構成するのに、３本のピンの上部が使用される。これらピンのうちの１本でも失われると、残りのピンでは、所望する平面状支持を行うことはできない。
【０００６】
脚付きピンを利用している別のスリッパー固定機構もある。ほぼＬ字形をした脚付きピンは、細長い垂直部分と切頭状の水平部分とを有し、水平部分は、垂直部分からほぼ９０度の角度で外側に延びている。脚付きピンの水平部分は、ブロックスプリングの上部に係合し、シリンダブロックの内径部を越えて径方向外側に延びている。ピンの垂直部分は、シリンダブロックの内径部に設けられたスロットまたは溝に沿って上方に延びている。シリンダブロックの内径部の周りには、複数のピンおよびスロットが離間して設けられている。シリンダブロックの上部から上方に脚付きピンが突出し、スリッパーを支持するようになっている。
【０００７】
しかし、各スロットは、脚付きピンを貫通させ、かつ逃がすことができる開放された側面を有する。スプリングリテーナーは除かれているので、脚付きピンのほうが、スプリングで係止されたピンよりも設置が容易である。しかし、垂直ピンよりも脚付きピンのほうが、製造コストが高くつく。
【０００８】
従って、本発明の主たる課題は、スリッパー固定ピンを係止するための改良された装置を提供することにある。
【０００９】
本発明の別の課題は、一旦設置されたピンが、横方向すなわち径方向にずれないようにするスリッパー固定機構を設けることにある。
【００１０】
本発明の別の課題は、組み立てが容易なスリッパー固定機構を設けることにある。
【００１１】
本発明の別の課題は、ピンよりも狭い突起間のを形成するように、１８０度よりも大きい角度で延びる側壁をシリンダブロック内のスロットに設けたスリッパー固定機構を提供することにある。
【００１２】
本発明の別の課題は、製造を安価に行うことができ、使用上耐久性があり、構造が簡単なスリッパー固定システムを提供することにある。
【００１３】
【課題を解決するための手段】
上記およびそれ以外の課題は、添付図面、以下に述べる詳細な説明、および特許請求の範囲から明らかとなると思う。
【００１４】
本発明は、スリッパー固定ピンを係止し、スリッパーを軸流ピストンタイプの流体ユニット内に係止するための改良された装置に関する。流体ユニットは、シャフトに駆動自在に係合する直径部を有するボアを備えるシリンダブロックを含んでいる。このシリンダブロックは、内部に複数の孔を有し、これらの孔に、ボアと連通する対応する数の複数の細長いスリッパー固定ピンがそれぞれ嵌合されている。
【００１５】
従って、孔とボアの交点に突起が形成されており、これらの突起の間は、ピンの横方向最大幅よりも狭い最大幅を有する。従って、ピンは、突起の間を通って、横方向または径方向にずれることができない。このピンは、従来行われているように、外力を加えることなく、孔内に径方向に係止される。各孔は、中心軸線と、この中心軸線の周りに１８０度よりも大きく延びる側壁を有する。突起を通ってシリンダブロックの内側ボア内に延びるピン部分は、空間とシャフト上の連続するスプラインとの間に並置される。
【００１６】
シャフトを挿入する前または後で、ピンをシリンダブロック内の孔に挿入できる。従って、外力を加えることなく、ピンは孔内に径方向に拘束される。こうして組み立て方法のフレキシビリティが高められている。
【００１７】
この装置は、回転グループの組み立てをより容易にするだけでなく、より信頼できる製品が得られる。ピンはずれにくくなり、かつ組み立て中に失われにくくなる。流体ユニット内でゆるくなったピンは、流体ユニットの性能を低下させたり、早期の故障を生じさせる原因となり得る。
【００１８】
本発明によれば、製造上の重要な利点が得られる。すなわち、１本のブローチ削りバーにより、シリンダブロックのボアとピンを嵌合する孔とを、同時に形成できる。部品を貫通する１つの工具を押したり引いたりすることにより、水平断面形状をカットできる。これが、従来別々に行わなければならなかった困難なドリル加工作業に比較して、大きな利点となっている。
【００１９】
【発明の実施の形態】
図１は、流体ユニット１０を示している。説明上、この流体ユニット１０を単なる軸流ピストンタイプの開回路ポンプとするが、本発明は、他のタイプの流体ユニットにも適用できる。
【００２０】
このポンプ１０は、シリンダブロック１４に駆動自在に係合する入力シャフト１２を含んでいる。シリンダブロック１４の頂部は、突出するハブ１６を含んでいる。シリンダブロック１４の中心の頂部から底部に、軸方向のボア１８（図１、図２、図５）が貫通している。
【００２１】
シャフト１２には、一連の離間したインボリュートスプライン２０が設けられている。このスプライン２０は、図３〜図５でよく理解できるように、シリンダブロック１４のボア１８の直径部に形成された相補的な一連の離間した内側スプライン２２に嵌合自在かつ駆動自在に係合している。しかし、本発明から逸脱することなく、他のタイプのシャフト／ブロック係合手段、例えばキー溝に嵌合されたキー等を利用することも考えられる。
【００２２】
シリンダブロック１４の下端部は、中心に位置する第２のボア２４を内部に有する。このボア２４は、ブロックスプリング２６を収容している。このブロックスプリング２６は、両端がワッシャー２８、３０に当接し、従来、ボア２４内に取り付けられていたスナップリング３２により、所定位置に保持されている。スプリング２６の内径部を、シャフト１２が貫通している。
【００２３】
図３から良く理解できるように、シリンダブロック１４は、複数のボア３４を内部に有し、ボア３４には、対応する数の往復動ピストン３６が摺動自在に嵌合するようになっている。シリンダブロック１４がシャフト１２によって回転させられると、ピストン３６はボア３４内で往復動し、流体を吸引したり、これを加圧したりし、加圧した流体を排除するようになっている。
【００２４】
シリンダブロック１４が回転する際の特定のポイントにおける流体に対する個々のピストンの特定の動作は、当業者に周知である固定された斜板３８によって決定される。
【００２５】
各ピストン３６は、くさびのような公知の手段により、スリッパー４０が取り付けられている。図２に示すように、このスリッパー４０には、スリッパー係止リング４２が係合している。このスリッパー係止リング４２は、ガイド部材４４に係合しており、ガイド部材４４は、中心に位置する円錐形開口部４６を内部に有する。
【００２６】
開口部４６は、ボールガイド４８のカーブした外側表面に枢動自在に係合している。ボールガイド４８は、１組のスプライン５０を備えた中心ボアを有し、スプライン５０は、シャフト１２上に形成されたスプライン２０と相補的となっている。したがって、ボールガイド４８は、シャフト１２によって回転させられる。よって、ガイド部材４４とスリッパー係止リング４２とスリッパー４０とは、シリンダブロック１４とほぼ一致して回転させられる。
【００２７】
ボールガイド４８は、複数のスリッパー固定ピン５２により支持されたほぼ平らな平面状の下面を有する。図２で良く理解できるように、ボールガイド４８に対する支持体の水平平面を設定するために、好ましくは３本のスリッパー固定ピン５２が使用される。スリッパー固定のためには、２本程度の少数のピンでも十分であると考えられる。
【００２８】
本発明の新規性は、基本的には、シリンダブロック１４に対して、ピン５２を径方向に係止する方法にある。
【００２９】
図３〜図５に示すように、シリンダブロック１４はボア１８内の細長い溝５４Ａに隣接し、連通する複数の孔５４を含む。図４に示すように装置を組み立てると、孔５４は、シリンダブロック１４のボア１８上のスプライン２２の間の空間５５に隣接して位置する。
【００３０】
図５は、孔５４が突起５６を有し、この突起の幅は、１対の内側に突出するショルダー５８、６０によって定められることを示している。孔５４の側壁６２は、孔５４の中心軸線６４を中心に１８０度よりも大きく延びている。孔の断面が長方形である場合、側壁は、ピン５２を横方向に係止するために、２７０度よりも大きく延長させなければならない。好ましい実施例の丸い孔では、側壁６２は、ショルダー５８と６０との間に延びている。
【００３１】
ピン５２は、対応する孔５４の１つで軸方向に延びるが、一旦設置すれば、この孔から、径方向すなわち横方向にずれることはできない。ピン５２の下端部は、ワッシャー２８に当接することにより、ブロックスプリング２６に係合する。ピン５２の上端部は、図２から良く理解できるように、ハブ１６においてシリンダブロックから突出し、ボールガイド４８の下方の平面状表面に係合している。スプリング２６とピン５２とボールガイド４８とにより、スリッパー４０に固定力が加えられる。
【００３２】
ピン５２は、このピンを孔５４に長手方向に摺動嵌合できるようにする最大の横方向の径すなわち幅を有することが、図４から理解できよう。また、ピン５２の横方向の最大径は、孔５４の突起５６を横断する最大幅、すなわちスパンよりも大きくなっている。
【００３３】
これとは逆に、孔５４の突起５６は、ピン５２の直径よりも小さくしなければならない。従って、孔５４が丸い場合、側壁６２は、中心軸線６４の周りに１８０度よりも大きく延びなければならない。ピン５２の直径およびショルダー５８、６０が設けられていることにより、ピン５２が孔５４から径方向にずれることが防止されている。
【００３４】
図３から理解できるように、３つの孔５４、および３本のピン５２を使用することが好ましい。３本のピンの上端部は、ボールガイド４８、従ってスリッパー４０に対し支持体の平面を確実に形成する。さらに別のピンを設けることも可能である。
【００３５】
このような構造の重要な利点は、シリンダブロック１４を貫通するように、１本のブローチ削りバーを押したり引いたりするだけで、シリンダブロック１４のボア１８の内径部に、孔５４と同時に内側スプライン２２を形成できることにある。
【００３６】
作動に際し、シャフト１２をボア１８に挿入する前、または挿入した後のいずれかにおいて、孔５４内にピン５２を挿入できる。いずれの場合でも、ピンが突起間の５６を通って径方向内側に落下することはない。側壁６２により、孔５４内にピン５２は径方向に拘束されており、突起５６を通ってシリンダブロック１４のボア１８内に径方向内側に延びるピン５２の部分は、シャフトのスプライン２０Ａと２０Ｂとの間の空間５５に嵌合されている。
【００３７】
従って、本発明は、少なくとも先に述べた課題を達成できることが理解できると思う。
【００３８】
以上、添付図面および明細書に本発明の好ましい実施例を説明した。ここでは特定の用語を使用しているが、これらの用語は、単に包括的な意味、または説明のために使用したにすぎず、本発明を限定するために使用したものではない。
【００３９】
特許請求の範囲に記載した発明の要旨および範囲から逸脱することなく、状況により示唆されたり、または有利となるように、形状および部品を変えたり、均等物に置換することも可能である。
【図面の簡単な説明】
【図１】本発明のスリッパー固定機構を有する流体ユニットの断面図である。
【図２】図１における２−２線によって示された領域の拡大断面図である。
【図３】スリッパー固定ピンが嵌合される孔を示す、図２における３−３線に沿ったシリンダブロックの図である。
【図４】図２の４−４線に沿った拡大縮尺横断面図である。
【図５】図５のシャフトおよびピンを除いた、図４の断面図に類似した断面図である。
【符号の説明】
１０    流体ユニット
１２    入力シャフト
１４    シリンダブロック
１６    突出したハブ
１８    中心に位置するボア
２０    スプライン
２２    内側スプライン
２４    ボア
２６    ブロックスプリング
２８、３０    ワッシャー
３２    スナップリング
３４    ボア
３６    ピストン
３８    斜板
４０    スリッパー
４２    係止リング
４４    ガイド部材
４６    開口部
４８    ボールガイド
５０    スプライン
５２    スリッパー固定ピン
５４    孔
５４Ａ    溝
５６    突起
５８、６０    ショルダー
６２    側壁
【図１】
0003760276.tif 000002
【図２】
0003760276.tif 000003
【図３】
0003760276.tif 000004
【図４】
0003760276.tif 000005
【図５】
0003760276.tif 000006